(57)【要約】      （修正有）【課題】携行時に粘着面にゴミ等が付着せず、切断刃も外部に露出せず、付箋用の粘着性帯片をロール状に巻回して保持した場合にも巻回部分の中途部の剥がれによるロールの膨らみが生じない携帯用保持・カッター装置を提供する。【解決手段】周部の一部が開口し、この開口部を蓋閉する開閉可能な蓋部３を備え、両端面が端板で閉塞された筒状筐体１と、筐体内に収容され、かつ、該筐体の両端板に回転可能に軸支された粘着性帯片のリール１１と、筐体の周部に形成され、かつリールを押さえ付けるリール回転止め部材７と、筐体の端板の内面およびリールのつば部に形成された該リールの一方向回転機構と、蓋部の先端に設けられた帯片切断刃５とを有し、リールのつば部内面には該リールに巻回された粘着性帯片の側部に対して粘性摩擦を加える粘性材が付着されており、粘着性帯片の切断の際にはリール回転止め部材の押付けでリールの回転を止める。【選択図】図１
2017061362.tif 000002
【特許請求の範囲】
【請求項１】
周部の一部が開口し、この開口部を蓋閉する開閉可能な蓋部を備え、両端面が端板で閉塞された筒状筐体と、
前記筒状筐体内に収容され、かつ、該筐体の両端板に回転可能に軸支された粘着性帯片の巻回リールと、
前記筒状筐体の周部に形成され、かつ前記リールを押さえ付けるリール回転止め部材と、
前記筒状筐体の前記端板の内面および前記リールのつば部に形成された該リールの一方向回転機構と、
前記蓋部の先端に設けられた帯片切断刃と、
を有し、前記リールの前記つば部内面には該リールに巻回された粘着性帯片の側部に対して粘性摩擦を加える粘性材が付着されており、
前記リールから前記筒状筐体の前記開口部を通して引き出された前記粘着性帯片を前記切断刃に押し当てて切断する際に前記リール回転止め部材の押付けで前記リールの回転を止めるようになっていることを特徴とする粘着性帯片の携帯用保持・カッター装置。
【請求項２】
前記粘着性帯片は片面に粘着性を有するテープ状付箋であることを特徴とする請求項１に記載した粘着性帯片の携帯用保持・カッター装置。
【請求項３】
前記粘着性帯片は片面に粘着性を有する合成樹脂製粘着テープであることを特徴とする請求項１に記載した粘着性帯片の携帯用保持・カッター装置。
【請求項４】
前記リール回転止め部材は、前記筒状筐体の前記開口部から該筐体の周部に沿って周方向に切り込まれた溝によって形成された弾性変形可能な細巾のリール押付け部材であり、前記粘着性帯片の切断時に前記リール回転止め部材を押し込んで前記リールのつば部外周と係合させることにより前記リールの回転が阻止されることを特徴とする請求項１〜３に記載した粘着性帯片の携帯用保持・カッター装置。
【請求項５】
前記リール回転止め部材の裏面先端に小突起が形成され、前記リールの片側のつば部外周部に前記小突起と係合する複数個の小溝が形成され、前記粘着性帯片の切断時に前記リール回転止め部材を押し込むことにより前記小突起が前記リールの前記つば部周部の前記小溝と係合して前記リールの回転が阻止されることを特徴とする請求項１〜４に記載した粘着性帯片の携帯用保持・カッター装置。
【請求項６】
前記筒状筐体の一方の前記端板は該筐体に対して脱着可能となっていることを特徴とする請求項１〜５に記載した粘着性帯片の携帯用保持・カッター装置。
【請求項７】
前記一方向回転機構は筐体端板の内面に形成された複数個のラチェット溝と、前記リールのつば部に形成され、前記ラチェット溝と係合する弾性偏倚可能な爪部とを有するラチェット機構であることを特徴とする請求項１〜６に記載した粘着性帯片の携帯用保持・カッター装置。
【発明の詳細な説明】
【技術分野】
【０００１】
本発明は粘着性帯片の保持・カッター装置、例えばロール状に巻回された片面粘着テープあるいは帯状の紙製付箋を収容し、その引出し片を切断する携帯可能な粘着性帯片の保持・カッター装置に関する。
【背景技術】
【０００２】
通常、片面に粘着剤が付与された粘着テープはロール状の形態でカッター装置に保持され、使用時にはその一端をカッター装置から引き出して装置端部に設けられた切断刃にテープの引出し部分を押し当てて切断するようになっている（例えば特許文献１，２）。また、書類の目印等として使用する付箋は通常は四角形あるいは所定の長さの矩形の小片であって、広い台紙に複数枚貼り付けられて保持されるか、あるいは付箋の弱い粘着性を利用して複数枚の付箋どおしをそれらの上端で仮止めするように付着させて保持し、使用時には１枚づつ剥がして使用するのが普通である。
【先行技術文献】
【特許文献】
【０００３】
【特許文献１】特許第４２４７３０３号特許公報
【特許文献２】特許第５５７１１３６号特許公報
【発明の概要】
【発明が解決しようとする課題】
【０００４】
この種の粘着テープホルダーあるいは粘着テープカッターを例えばポケット等に入れて携行し、移動先で必要に応じて使用できるようにすると便利である。しかし多くの粘着テープホルダーは大形で重量もあり、携帯用としては不向きである。特許文献１，２に示す粘着テープホルダーも室内で使用する卓上型のものであって、簡易に携行できるようにはなっていない。
近年、粘着テープのロール径を小さくし、簡単なプラスチック製のホルダーに収容し、ホルダーに一体に形成した鋸歯状の切断刃で引き出したテープを切断する簡易小形の粘着テープホルダーやテープカッターも市販されているが、この形態のものにおいても、テープの引出し端部は外部に露出しており、ポケット等に入れた場合、露出しているテープの粘着面にゴミ等が付着したりすることが多い。また、切断刃も通常はホルダーの端部で外側に露出しており、携行中に手や衣服を傷つけるおそれがある。特許文献２の粘着テープホルダーではテープの切断時以外は切断刃がガード板に隠れるようになっているが、この構造のものは卓上で使用する形式のものであり、携帯用ではない。
【０００５】
付箋用として用いる紙製の粘着性帯片は使用時に剥がし易いように粘着力を弱くしているが、このような弱い粘着力の帯片をロール状に巻回して粘着テープ用のホルダーに保持した場合、粘着力が弱いために使用中にロール状の帯片が、巻回した中途部で緩みを生じ、ロールの外径が膨らみ、きちんとしたロール状態が維持できなくなる。このようなロールの膨らみをなくすために粘着力を強くすると、使用後の剥がしが爪先等で簡単に行えなくなるという不便が生じる。
【０００６】
本発明は上述した諸種の問題を解決し、携行時に粘着面にゴミ等が付着せず、また付箋用の粘着性帯片をロール状に巻回して保持した場合にも、巻回部分の中途部の剥がれによるロールの膨らみや崩れが生じなく、さらに切断刃の部分もホルダー内に囲包されて外部に露出しないようにした粘着性帯片の携帯用保持・カッター装置を提供することを目的とするものである。
【課題を解決するための手段】
【０００７】
本発明による粘着性帯片の携帯用保持・カッター装置は、周部の一部が開口し、この開口部を蓋閉する開閉可能な蓋部を備え、両端面が端板で閉塞された筒状筐体と、前記筒状筐体内に収容され、かつ、該筐体の両端板に回転可能に軸支された粘着性帯片の巻回リールと、前記筒状筐体の周部に形成され、かつ前記リールを押さえ付けるリール回転止め部材と、前記筒状筐体の前記端板の内面および前記リールのつば部に形成された該リールの一方向回転機構と、前記蓋部の先端に設けられた帯片切断刃とを有し、前記リールの前記つば部内面には該リールに巻回された粘着性帯片の側部に対して粘性摩擦を加える粘性材が付着されており、前記リールから前記筒状筐体の前記開口部を通して引き出された前記粘着性帯片を前記切断刃に押し当てて切断する際に前記リール回転止め部材の押付けで前記リールの回転を止めるようになっている。
【０００８】
本発明のひとつの形態においては、前記粘着性帯片は片面に粘着性を有するテープ状付箋である。
【０００９】
また、本発明の他の形態においては、前記粘着性帯片は片面に粘着性を有する合成樹脂製粘着テープである。
【００１０】
本発明の他の形態においては、前記リール回転止め部材は、前記筒状筐体の前記開口部から該筐体の周部に沿って周方向に切り込まれた溝によって形成された弾性変形可能な細巾のリール押付け部材であり、前記粘着性帯片の切断時に前記リール回転止め部材を押し込んで前記リールのつば部外周と係合させることにより前記リールの回転が阻止されるようになっている。
【００１１】
本発明のさらに他の形態においては、前記リール回転止め部材の裏面先端に小突起が形成され、前記リールの片側のつば部外周部に前記小突起と係合する複数個の小溝が形成され、前記粘着性帯片の切断時に前記リール回転止め部材を押し込むことにより前記小突起が前記リールの前記つば部周部の前記小溝と係合して前記リールの回転が阻止されるようになっている。
【００１２】
本発明のさらに他の形態においては、前記筒状筐体の一方の前記端板は該筐体に対して脱着可能となっていることを特徴とする。
【００１３】
本発明のさらに他の形態においては、前記一方向回転機構は筐体端板の内面に形成された複数個のラチェット溝と、前記リールのつば部に形成され、前記ラチェット溝と係合する弾性偏倚可能な爪部とを有するラチェット機構が用いられている。
【発明の効果】
【００１４】
本発明に係る粘着性帯片の携帯用保持・カッター装置によれば、粘着性帯片が蓋閉された筐体内に収容されて外部に露出していないので、ポケット等に入れて携行した場合にもゴミや塵等が帯片の粘着面に付着せず、また、切断刃も蓋閉状態の筐体内に収容されているので、手指等を傷付けるおそれがない。さらに本発明の帯片保持・カッター装置は付箋等のように粘着性の弱い帯片をロール状に巻回した状態で帯片の中途部が剥がれて膨らみを起こすということがなく、ロールのほどけや崩れが生じない。筐体の蓋部を閉じた状態ではロール状帯片および筐体内部の機構部が完全に筐体内に密閉状態に収容されるため、内部の機構部が携行中に毀損するという心配もない。
【図面の簡単な説明】
【００１５】
【図１】本考案の実施例に係る粘着性帯片の携帯用保持・カター装置の蓋体を閉じた状態の外観斜視図（ａ）および蓋体を開いた状態の外観斜視図（ｂ）である。
【図２】図１に示す携帯用保持・カッター装置における筒状筐体の片側端板を取り外した状態の端面図である。
【図３】本発明の実施例に係る付箋巻回リールの平面図である。
【図４】本発明の実施例に係るラチェット溝係合部材の正面図（ａ）および側面図（ｂ）である。
【図５】本発明の実施例に係る粘着性帯片の付箋巻回リールの一方向回転機構を説明するための図であって、同図（ａ）は筐体の端面内面の正面図、同図（ｂ）は付箋巻回リールのつば部の外面を示す正面図である。
【図６】ロールに巻回される細巾の帯状付箋に適合した付箋巻回リール構造を示した平面図である。
【発明を実施するための形態】
【００１６】
次に、本発明を、図面を参照しつつ、実施例について説明する。
以下の実施例はいずれも片面に比較的弱い粘着性を付与したテープ状付箋を対象としたものであるが、本発明はこのようなテープ状の付箋に限らず、一般の合成樹脂製粘着テープにも適用され得る。
図１，図２を参照すれば、テープ状の付箋が両つばを持つリールに巻回されており、この状態でこの付箋巻回リールが装置外殻たる筒状筐体１内に収容されている。筒状筐体１は両端面が閉塞され（ただし片側の筐体端板２は脱着可能）、筐体の周部は開閉可能な蓋部３が設けられている。蓋部３はその基端が筐体１に小さな突起を支点として枢支されており、かつ蓋部３の先端に小さな鋸歯状の切断刃５が設けられている。筐体１を蓋部３で蓋閉した状態では切断刃５は筐体内に収まり、外部には露出しない。後述するように、筐体１に収容された付箋の一端が蓋部３を開いたときの筐体周部の開口から引き出され、蓋部先端の切断刃５に押し当てることで所望長さに切断される。なお、蓋部３は筒状筐体の中心と蓋部の枢支点とを結ぶ直径延長線上の近くの位置まで開成する。
【００１７】
筒状筐体１の片側の端板２を取り外した状態の筐体端面に近接して、該筐体の開口部の位置から筐体周部に周方向に所定長さで延びる切込み溝６が形成され、この溝と筐体端面との間の細巾の部分がリール回転止め部材７となっている。このリール回転止め部材７は細巾の形状のため筐体１の内側へ向けて押し込むことで若干弾性偏倚可能である。図２、図３を参照すれば、前記筐体端面側の付箋巻回リール１１のつば部８はその外周に複数個の小溝９が形成されている。筐体１の前記リール回転止め部材７を指先で筐体内方へ押し込むことにより、リール回転止め部材７が弾性偏倚し、このリール回転止め部材の先端裏側の突部１２がリールのつば部８の小溝９に係合し、これによって付箋巻回リール１１の回転が止められる。引き出した付箋１３の切断時には、このリール回転止め部材７によって付箋巻回リール１１の回転を止めた状態で付箋を切断刃５に押し当てて切断する。
【００１８】
付箋巻回リール１１はテープ状の付箋を巻回する軸部１５の両端に付箋の両側部と軽く接するつば部８，１６が形成され、かつ筒状筐体の両端板内面に軸支されて一方向に、具体的にはロールから伸長した帯状付箋１３の引出し方向に回転し、逆方向には回転しないようになっている。なお、この一方向回転機構は付箋巻回リール１１の一方のつば部１６と筐体端板１９（図５（ａ））との間に形成されたラチェット溝とラチェット爪で構成されるが、これについてはさらに後述する。
【００１９】
図３に示されるように、両つば部８，１６の内面には粘性シート１７が貼着されている。この粘性シート１７はリールに緊密に巻回されたロール状付箋１８の両側部に接し、これによってロール状付箋の側部に対し或る程度の粘性摩擦を与えるようになっている。この場合、粘性シート１７の粘性力は、リール１１からの帯状付箋１３の引き出し（巻き戻し）を阻止せず、しかも或る程度の軽い抵抗を加えるような粘性力に設定される。このようにすることにより、リールに緊密にロール状に巻回された付箋が巻回の中途部位で付箋どおしの重なりが解けて付箋の間に隙間が生じてロール状付箋１８に膨らみが発生したり、ロールの形状が崩れたりすることがなくなる。このようにしないと、付箋の片面の粘着力が弱いためにロール状に巻回した付箋の間に隙間や膨らみが生じる。
【００２０】
次に、図５を参照して付箋巻回リールに対する一方向回転機構を説明する。筒状筐体１の片端部を閉塞している端板１９の内面の板面周位置に複数個のラチェト溝２０が等間隔に形成されている。なお、前記端板１９の中心には付箋巻回リール１１のつば部１６から突出した短軸２２を回転可能に軸支する軸支穴２１が形成されている。また、付箋巻回リール１１の前記筐体端板に対峙するつば部１６外面にはつば部１６の短軸２２と同心に角形突部あるいは六角形突部２３が該つば部と一体に形成されている。なお、リール１１の前記短軸２２はこの六角形突部２３の中心から突出して端板１９の軸支穴２１に挿入されている。この六角形突部２３には、該突部と嵌合する六角形孔部２５を備えたラチェット溝係合部材２６（図４）が嵌合されている。
【００２１】
ラチェット溝係合部材２６は、図４、図５に示されるように、その外周２箇所に弾性変形可能な舌片部２７を有している。この舌片部２７は、基部がラチェット溝係合部材２６の外周部に一体に連接され、かつ、該係合部材２６の外周部から或る間隙を有して周方向に或る長さで伸長し、その先端外側には筐体端板１９のラチェット溝２０と係合する尖った爪２８（ラチェット爪）が形成された構成となっている。リール１１のつば部１６が筐体１の端板１９内面に対峙した状態では舌片部２７は、付箋の引き出しによるリールの回転方向に爪部位が追従することとなるように伸長している。つまり付箋の引き出しによるリール１１の回転方向の先方部位に舌片部２７の基部が位置し、前記回転方向の後方部位に爪位置が存在するように舌片部２７が伸長している。図５（ｂ）で矢印Ａは付箋引出し時のリール（つば部１６）の回転方向を示している。
【００２２】
このような向きにラチェット溝係合部材２６の舌片部２７が伸長することにより、付箋の引き出しによってリールが回転する際は、舌片部２７は端板１９のラチェット溝２０側から該舌片部の爪部２８を介して舌片部先端が内側へ弾性偏倚しつつ爪部とともに回動する。また、付箋の引出し方向に対して逆方向の回転に対しては、舌片部２７には、ラチェット溝２０によって先端の爪部２８から基部側へ向う力が作用するため、舌片部２７は偏倚せず、爪部２８とラチェット溝２０との係合によって付箋巻回リール１１の回転が阻止される。なお、付箋引出し方向のリール回転の際には、ラチェット溝２０に対する舌片部２７の爪部２８の滑りによって或る程度の回転摩擦力がリール１１に作用し、リールの自由な回転は生じない。このようなラチェット溝係合部材２６は全体がプラスチック材の成形加工で形成されることにより、上述した舌片部２７の弾性変形は可能となる。  
【００２３】
ここで対象とする粘着性帯片がテープ状の付箋の場合、通常付箋は使用後の剥がしを容易にするため、片面の粘着力は一般の粘着テープに比べて弱くなっている。一般のロール状粘着テープのカッター装置では、引き出したテープをカッター装置の端部の鋸歯状切断刃に当てて切断したとき、テープの強い粘着力によって切断後のロールにつながるテープ端部は前記切断刃に付着して保持される。しかしテープ状付箋の場合は、粘着力が弱いため、切断後のロール側付箋の端部は切断刃から離れてフリーの状態となってしまう。この状態では、ロール状の付箋の携帯用保持・カッター装置の携行による揺れや振動によって付箋巻回リールが自由に回転してしまい、切断後の付箋の端部が筐体の開口部の位置から奥側へ回転して隠れる形となり、次回使用時にロール状付箋の引出し端部を筐体の開口部から探すのが困難になる。また、この種のロール状付箋のリールは軽量であり、付箋の引出し時の慣性で引出し中にリールが引出し方向に余計に回転すると、付箋がロールから不必要に長く延びる結果となる。本発明においては、実施例のラチェット溝と舌片部の爪部との係合による一方向回転機構によってリールは付箋の引出し方向にも或る程度の回転摩擦力が働くため、こような不都合をなくすことができる。
【００２４】
上述の実施例による付箋の携帯用保持・カッター装置の付箋の引出し、切断の動作を説明する。まず、筒状筐体１の一方の脱着可能な端板２を取り外し、付箋を巻回したリール１８を筐体内に装填する。この際には筒状筐体１の周部開口の蓋部３を開いておき、付箋１３の先端を筐体１の周部開口位置に露呈させる。その後、蓋部３を閉じ、筐体１の片端面を端板２で閉塞し、携帯可能状態とする。付箋の使用時には、筒状筐体１の蓋部３を開き、その周部開口から付箋１３の先端を所望長さに引き出して蓋部３の先端に固着されている切断刃５に付箋をあてがい、かつ筐体１の周部に形成されているリール回転止め部材７を指先で押し込んで付箋巻回リール１１の回転を固定し、この状態で付箋１３の引き出し部分を切断刃５に押し当てて切断する。切断後にリール側の付箋切断端部は切断刃との付着が外れることもあるが、前述したリール端部のラチェット機構（一方向回転機構）により、リールが回転することはなく、切断後の付箋端部は周部開口の近くに露呈した状態となり、次回使用時の付箋の引き出しが容易になされる。
【００２５】
図１、図３の実施例では、付箋巻回リール１１のつば部８、１６は筒状筐体１の両端近傍に位置している。より正確には、一方のつば部８はリール軸部１５の軸支部近くに位置し、他方の唾部１６は筐体端部（筐体奥底）に隣接したラチェット溝係合部材２６に接当する位置に設けられている。したがってこの形態のものでは帯状付箋１３の横巾は、筐体１の軸方向長さに規制される広巾の帯状付箋となっている。しかし付箋としては筐体１の軸方向長さよりもかなり細い巾の付箋も存在する。図６はこのような細巾の帯状付箋に適合した付箋巻回リール構造を示した平面図である。この構造では図３のラチェット機構部に隣接したつば部１６に代えて、ラチェット溝係合部材保持円盤３１が軸部１５に固着され、図３の他方のつば部８に代えて、外周に小溝９を有するリール回転止め円盤３２が軸部１５の端部近くに固着されている。そして軸部１５の中央部近くに間隔の狭い一対のつば部３３、３４が固着されている。つば部３３、３４の内側（両つば部の対向面）には粘性シート３５が貼着されており、つば部３３、３４間に巻回されたロール状付箋の両側部はこの粘性シート３５に接するようになっている。この粘性シート３５の機能は図３の場合と同様である。
【００２６】
ロール状付箋を使い切った後、新たにロール状の付箋を装填する場合はリール回転止め円盤３２を筐体から外し、さらに、一方のつば部３３およびカラー３６を軸方向へ抜き取り、新しいロール状付箋を補充し、つば部３３、カラー３６および円盤３２を組み付ける。他方のつば部３４は軸部１５に固定されており、一方のつば部３３およびカラー３６の押し付けでロール状付箋１８は軸部１５および円盤３１、３２と一体で回転する。細巾仕様の帯状付箋に対してはこのようなリール構造が採用され得る。
【符号の説明】
【００２７】
１  筒状筐体
２  脱着可能な端板
３  蓋部
５  切断刃
６  切込み溝
７  リール回転止め部材
８，１６，３３，３４  つば部
９  小溝
１１  付箋巻回リール
１３  帯状付箋
１７，３５  粘性シート
１８  ロール状付箋
１９  筐体端板
２０  ラチェット溝
２１  軸支穴
２２  短軸
２３  六角形突部
２５  六角形孔部
２６  ラチェット溝係合部材
２７  舌片部
２８  爪部
【図１】
2017061362.tif 000003
【図２】
2017061362.tif 000004
【図３】
2017061362.tif 000005
【図４】
2017061362.tif 000006
【図５】
2017061362.tif 000007
【図６】
2017061362.tif 000008